(57)【要約】【課題】電極端子部に圧力が加わった場合であっても基板が折曲して損傷してしまうのを防止する。【解決手段】バックライトユニット１４の枠体１３における液晶表示パネル３の電極端子部４に対向する位置に、液晶表示パネル３の方向に突出し電極端子部４の裏面における一端縁の両側部分に対向する面に当接する高さ寸法の突起部２１を形成する。【選択図】            図１
2004258523.tif 000002
【特許請求の範囲】
【請求項１】
一対の基板を備え、前記一対の基板のうち一方の基板が他方の基板と比較して平面形状において突出する位置に電極端子を備えた電極端子部が形成された液晶表示パネルと、
前記液晶表示パネルに対し導光板を介して照射光を照射する光源、および前記光源と前記導光板とを一体に保持する枠体を備え、前記液晶表示パネルに対向するように配設されたライトユニットとを有し、
前記電極端子部と前記ライトユニットとの間に間隙を有する液晶表示装置において、
前記枠体における前記電極端子部に対向する位置に、前記電極端子部における前記ライトユニットに対向する面に当接する突起部が形成されていることを特徴とする液晶表示装置。
【請求項２】
前記電極端子部を有する基板が前記一対の基板のうち表側の基板とされ、前記電極端子部の電極端子形成面に液晶駆動用ＩＣチップが搭載され、前記ライトユニットが前記液晶表示パネルの裏側に配設されており、前記枠体における一端縁の両側部分であって前記電極端子部の前記電極端子形成面における一端縁の両側部分に対向する位置にそれぞれ前記突起部が形成されている請求項１に記載の液晶表示装置。
【発明の詳細な説明】
【０００１】
【発明の属する技術分野】
本発明は液晶表示装置に係り、特に液晶表示パネルの表側または裏側にライトユニットを有する液晶表示装置に関する。
【０００２】
【従来の技術】
従来より、中間に液晶を充填した一対の透明基板の所定の部分に選択的に電界を与えて特定の図形や文字等の情報を表示するための液晶表示装置が、パーソナルコンピュータや携帯電話等の表示装置として多用されている。
【０００３】
このような液晶表示装置においては、一般に液晶に対して照射光を照射する光源を備えたライトユニットが液晶表示パネルの裏側または表側に配設されており、このライトユニットからの照射光を前記液晶表示装置から透過させまたは遮断することにより所定の情報を表示するようになっている。
【０００４】
図３および図４は前述のような従来の液晶表示装置における一部を示す斜視図および側面断面図である。図３および図４に示すように、前記液晶表示装置２５に内蔵された液晶表示パネル２６は、一対の透明基板２７ａ，２７ｂを備えており、これら一対の透明基板２７ａ，２７ｂのうち表側の透明基板２７ａは、裏側の透明基板２７ｂと比較して平面形状において突出しており、この位置に電極端子部２８が形成されている。また、前記各透明基板２７ａ，２７ｂの相互に対向する面には複数の透明電極（図示せず）が配設されており、前記各透明基板２７ａ，２７ｂに配設された各透明電極は、前記電極端子部２８に延設されて電極端子とされている。
【０００５】
また、これら各電極端子は、前記電極端子部２８の電極端子形成面に搭載された液晶駆動用ＩＣチップ２９の一側縁に形成された各リード端子（図示せず）に接続されており、この液晶駆動用ＩＣチップ２９の他側縁に形成された各リード端子（図示せず）は、電極端子部２８に形成された各入力端子（図示せず）を介してフレキシブル配線基板３０の各電極端子（図示せず）に接続されている。そして、前記液晶駆動用ＩＣチップ２９およびその周辺部分には、前記液晶駆動用ＩＣチップ２９およびその周辺部分を被覆する被覆部材３１が塗布されている。
【０００６】
さらに、前記各透明基板２７ａ，２７ｂにおける相互に対向する面とは反対側の面にはそれぞれ偏光板３２ａ，３２ｂが配設されている。
【０００７】
また、前記液晶表示パネルの裏側には、光源（図示せず）を有するバックライトユニット３３が配設されていた。
【０００８】
【発明が解決しようとする課題】
しかし、前述の液晶表示装置２５においては、前記電極端子部２８と前記バックライトユニット３３との間に間隙を有しており、図５に示すように、前記電極端子部２８に対し表側から裏側方向に圧力が加わった場合、この圧力は前記表側の透明基板２７ａにおける前記電極端子部２８の形成位置側となる前記裏側の透明基板２７ｂの端辺に当接する辺に加わる。この結果、前記表側透明基板２７ａは、前記表側の透明基板２７ａにおける前記電極端子部２８の形成位置側となる前記裏側の透明基板２７ｂの端辺に沿って折曲され、ひいては損傷してしまうおそれがあった。
【０００９】
さらに、前記液晶表示装置２５が前述のような液晶表示パネル２６の透明基板２７ａにおける電極端子部２８上に液晶駆動用ＩＣチップ２９を搭載し、前記液晶表示パネル２６の透明電極の各電極端子と前記液晶駆動用ＩＣチップ２９の各リード端子とを接続させるＣＯＧ（Ｃｈｉｐ  ｏｎ  Ｇｌａｓｓ  ）方式を採用している場合には、前記液晶駆動用ＩＣチップ２９を搭載するために、前記電極端子部２８はＣＯＧ方式ではない液晶表示装置の電極端子部と比較して大きく形成される。このため、ＣＯＧ方式の液晶表示装置２５の電極端子部２８はＣＯＧ方式ではない液晶表示装置の電極端子部よりも一層大きな圧力を受ける場合があり、表側の透明基板２７ａはより容易に折曲して損傷してしまうおそれがあった。
【００１０】
本発明はこれらの点に鑑みてなされたものであり、電極端子部に圧力が加わった場合であっても基板が折曲し、損傷してしまうのを防止することができる液晶表示装置を提供することを目的とする。
【００１１】
【課題を解決するための手段】
前記目的を達成するため、請求項１に記載の発明に係る液晶表示装置は、一対の基板を備え、前記一対の基板のうち一方の基板が他方の基板と比較して平面形状において突出する位置に電極端子を備えた電極端子部が形成された液晶表示パネルと、前記液晶表示パネルに対し導光板を介して照射光を照射する光源、および前記光源と前記導光板とを一体に保持する枠体を備え、前記液晶表示パネルに対向するように配設されたライトユニットとを有し、前記電極端子部と前記ライトユニットとの間に間隙を有する液晶表示装置において、前記枠体における前記電極端子部に対向する位置に、前記電極端子部における前記ライトユニットに対向する面に当接する突起部が形成されていることを特徴とする。
【００１２】
この請求項１に記載の発明によれば、突起部は電極端子部におけるライトユニットと対向する面に当接して前記電極端子部を支持することとなり、前記電極端子部と前記枠体との間においてスペーサの機能を有する。このため、前記電極端子部においてライトユニットの方向に圧力が加わった場合であっても、この圧力を前記一方の基板における他方の基板の端辺に当接する辺のみに加えることなく前記突起部との当接位置に分散させることができる。
【００１３】
また、請求項２に記載の発明に係る液晶表示装置は、前記電極端子部を有する基板が前記一対の基板のうち表側の基板とされ、前記電極端子部の電極端子形成面に液晶駆動用ＩＣチップが搭載され、前記ライトユニットが前記液晶表示パネルの裏側に配設されており、前記枠体における一端縁の両側部分であって前記電極端子部の前記電極端子形成面における一端縁の両側部分に対向する位置にそれぞれ前記突起部が形成されている。
【００１４】
この請求項２に記載の発明によれば、ＣＯＧ方式を採用する大きい電極端子部を有する基板を備えた液晶表示装置において前記電極端子部に大きい圧力が加わった場合であっても、前記電極端子部の一端縁における両側部分が前記各突起部によって支持されるので、より前記圧力を各突起部との当接位置に分散させることができる。
【００１５】
【発明の実施の形態】
以下、本発明に係る液晶表示装置の実施形態を図１および図２を参照して説明する。
【００１６】
図１は、本実施形態にかかる液晶表示装置の要部を示す斜視図であり、図２は図１の液晶表示装置における側面断面図である。
【００１７】
図１に示すように、本液晶表示装置１は、一対の透明基板２ａ，２ｂを備えた液晶表示パネル３を有しており、前記一対の透明基板２のうち表側の透明基板２ａは、裏側の透明基板２ｂと比較して平面形状において突出しており、この位置に電極端子部４が形成されている。
【００１８】
また、前記各透明基板２ａ，２ｂの相互に対向する面には、複数のＩＴＯ（Ｉｎｄｉｕｍ  Ｔｉｎ  Ｏｘｉｄｅ：インジウムスズ酸化物）等からなる透明電極（図示せず）が配設されており、これら各透明電極が、前記電極端子部４に延設されて各電極端子（図示せず）とされている。
【００１９】
さらに、前記各透明電極における相互に対向する面には、ラビング処理が施された配向膜（図示せず）が配設されており、そして、前記各透明基板２ａ，２ｂの周縁部にはシール材５が塗布され、このシール材５の内部には複数の球状のギャップ保持材（図示せず）および液晶６が封入されている。
【００２０】
そして、前記各透明基板２ａ，２ｂの相互に対向する面とは反対側の面には、所定の偏光方向の光のみを透過させる偏光板７ａ，７ｂがそれぞれ配設されている。
【００２１】
また、前記電極端子部４の電極端子形成面には、前記液晶表示パネル３を駆動するための液晶駆動用ＩＣチップ９が搭載されており、この液晶駆動用ＩＣチップ９の両側縁に配設された複数のリード端子（図示せず）のうち一側縁に配設された各リード端子は前記液晶表示パネル３の各電極端子に接続されている。さらに、前記液晶駆動用ＩＣチップ９の他側縁の各リード端子はフレキシブル配線基板１０の各電極端子に接続されている。そして、前記電極端子部４における前記液晶駆動用ＩＣチップ９の配設位置およびその周辺部分であって前記電極端子部４における一端縁の両側部分を除く位置には、シリコーン等の材料からなる被覆部材１１が前記液晶駆動用ＩＣチップ９およびその周辺部分を被覆するように塗布されている。
【００２２】
また、前記液晶表示パネル３の裏側には、前記液晶表示パネル３側に開口部１２が形成された枠体１３を備えるバックライトユニット１４が配設されており、前記枠体１３における前記開口部１２の内部には、前記液晶表示パネル３の裏面に対向するように裏側から反射板１５、導光板１６および拡散板１７が順次積層して配設されている。また、前記枠体１３における前記開口部１２の一端部であって前記液晶表示パネル３の電極端子部４に対向する位置には、貫通孔１８が前記開口部１２に繋がるように形成されており、前記貫通孔１８の内部には、ＬＥＤや冷陰極管等からなる光源１９が前記導光板１６の一端縁に照射光を照射するように配設されている。
【００２３】
さらに、前記枠体１３における一端縁の両側部分であって前記電極端子部４の電極端子形成面における一端縁の両側部分に対向する位置には、前記電極端子部４の方向に突出する突起部２１が形成されており、前記各突起部２１は、前記電極端子部４の電極端子形成面に当接する程度の高さ寸法となるように形成されている。これにより、前記各突起部２１は前記枠体１３と前記電極端子部４との間においてスペーサとしての機能を果たすようになっている。なお、本実施形態においては、２つの突起部２１を枠体１３の一端縁における両側部分に形成しているが、前記電極端子部４と前記枠体１３との間においてスペーサの機能を果たすものであれば、前記突起部２１の形成位置および数はこれに限定されるものではない。
【００２４】
次に、本実施形態の作用について説明する。
【００２５】
本実施形態によれば、前記各突起部２１が前記電極端子部４の電極端子形成面に当接することにより、前記電極端子部４は前記各突起部２１によって支持されるので、前記電極端子部４と前記枠体１３との間においてスペーサの機能を有する。このため、前記電極端子部４において裏側方向への圧力が加わった場合であっても、この圧力を前記表側の透明基板２ａにおける前記電極端子部４の形成位置側であって前記裏側の透明基板２ｂの端辺に当接する辺のみに加えることなく前記各突起部２１との当接位置に分散させることができる。
【００２６】
したがって、前記電極端子部４に圧力が加わった場合であっても、前記表側の透明基板２ａにおいて前記電極端子部４の形成位置側であって前記裏側の透明基板２ｂと当接する辺に沿って前記透明基板２ａが折曲してしまうことを防止し、ひいては前記透明基板２ａが損傷してしまうことを防止することができる。
【００２７】
なお、本発明は前記実施形態に限定されるものではなく、必要に応じて種々変更することが可能である。
【００２８】
例えば、本実施形態においてはバックライトユニット１４に各突起部２１を配設する場合について説明したが、これに限定されず、フロントライトユニットに配設するものであってもよい。
【００２９】
また、バックライトユニット１４を有する液晶表示装置１において、電極端子部を有する透明基板を裏側の透明基板とし、突起部を電極端子部と枠体との間においてスペーサの機能を有するよう前記裏側の透明基板の裏面に配設された偏光板の高さ寸法と同じ高さ寸法に形成してもよい。
【００３０】
さらに、本実施形態においてはＣＯＧ方式を採用した液晶表示装置を用いて説明したが、これに限定されず、本発明は、液晶表示パネルが有する各透明基板のうち一方の透明基板とライトユニットとの間に間隙を有する液晶表示装置について広く適用することができる。
【００３１】
【発明の効果】
以上述べたように、請求項１に記載の発明に係る液晶表示装置によれば、電極端子部に圧力が加わった場合であっても、基板における突起部との当接位置に前記圧力を分散させることができるので、前記基板において前記電極端子部が開始する辺を支点としてこの基板が折曲してしまうことを防止し、ひいては前記基板が損傷してしまうことを防止することができる。
【００３２】
また、請求項２に記載の発明にかかる液晶表示装置によれば、ＣＯＧ方式を採用した液晶表示装置において電極端子部により大きな圧力が加わった場合であっても、表側の基板における各突起部との当接位置にこの圧力を分散させて、前記基板が折曲し、損傷してしまうことを防止することができる。
【図面の簡単な説明】
【図１】本発明にかかる液晶表示装置の一実施形態における要部を示す斜視図
【図２】図１に示す液晶表示装置の側面断面図
【図３】従来の液晶表示装置の一部を示す斜視図
【図４】図３に示す液晶表示装置の側面断面図
【図５】図３に示す液晶表示装置において液晶表示パネルの電極端子部に圧力を加えた場合を示す側面断面図
【符号の説明】
１  液晶表示装置
２ａ，２ｂ  透明基板
３  液晶表示パネル
４  電極端子部
５  シール材
６  液晶
７ａ，７ｂ  偏光板
９  液晶駆動用ＩＣチップ
１０  フレキシブル配線基板
１２  開口部
１３  枠体
１４  バックライトユニット
１５  反射板
１６  導光板
１７  拡散板
１８  貫通孔
１９  光源
２１  突起部
【図１】
2004258523.tif 000003
【図２】
2004258523.tif 000004
【図３】
2004258523.tif 000005
【図４】
2004258523.tif 000006
【図５】
2004258523.tif 000007